(57)【要約】      （修正有）【課題】書籍等（積層体）の見開きページを容易且つ確実に保持することが出来、しかも、携帯性や書籍厚対応性に優れ、尚かつ、構造が単純で安価に製作できるページホルダーを提供する。【解決手段】金属製薄板等の復元力（弾性力）のある平板材を打ち抜き成形するなどして、少なくとも適宜巾からなる３箇所の間隔域が形成されるよう、４枚の押さえ片を左右対称で櫛歯状に設ける。そして、中央に位置する間隔域を形成する前記一対（２枚）の押さえ片は、見開いた積層体の上部よりその背部を跨ぎ表紙面（背面）に当接し、また、左右対称に位置する間隔域を形成する二対（各２枚）の押さえ片のうち、それぞれ外側にある押さえ片は、見開いた積層体の左右ページ層を上辺より跨ぎページ面に当接するよう構成する。【選択図】図１
0003139129.tif 000002
【実用新案登録請求の範囲】
【請求項１】
書籍、譜面、ノート、手帳等の積層体の見開き状態を保持するためのページホルダーであって、金属薄板等の復元力のある平板材を打ち抜き成形するなどして、少なくとも積層体厚に対応した３箇所の間隔域が形成されるよう、４枚の押さえ片を左右対称で櫛歯状に設けてなることを特徴とするベージホルダー。
【請求項２】
前記間隔域を逆Ｕ字形のアーチ状に形成するとともに、左右両側に位置する前記押さえ片の略中央から下端にかけてそれぞれ内方向に湾曲させたことを特徴とする請求項１記載のベージホルダー。
【考案の詳細な説明】
【技術分野】
【０００１】
本考案は、書籍、ノート、楽譜等において所望の見開きページを保持するためのページホルダーに関する。
【背景技術】
【０００２】
従来より、書籍等の見開きページを保持するために用いられるページホルダーは、下記文献のとおり数多く提案されている。例えば、書見台や譜面台に付設された押さえ体をもって見開ページを保持固定するもの。バネ体の圧力を利用して複数ページからなる積層体を鋏み込んで所望の見開きページを保持固定するクリップ式のものなどがある。しかしながら、前者のような基台（書見台、譜面台）に付設されたホルダーにあっては携帯性や汎用性に欠け、また、後者のようなバネ圧を利用するクリップ式のホルダーにあっては書籍厚に対する応性やページめくりの操作性に難があるのみならず加工に手間が掛かるなどの問題がある。
【特許文献１】実用新案登録第３０４７３５８号
【特許文献２】実用新案登録第３０２４１１１号
【特許文献３】実開平０６−０２１９６１
【特許文献４】特開平１０−０４４６４４
【特許文献５】特開平１１−１０５４５８
【特許文献６】特開２００１−０８０２４３
【特許文献７】特開２００３−２５１９６２
【特許文献８】特開２００６−２４８２０５
【特許文献９】特開２００７−０６２３４３
【考案の開示】
【考案が解決しようとする課題】
【０００３】
本考案は、上記従来のページホルダーの欠点に鑑みなされたもので、見開きページを容易且つ確実に保持することが出来、しかも携帯性や書籍厚対応性に優れ、尚かつ、構造が単純で安価に製作できるページホルダーを提供することを課題とする。
【課題を解決するための手段】
【０００４】
上記課題を解決するため、請求項１の考案にあっては、金属製薄板等の復元力（弾性力）のある平板材を打ち抜き成形するなどして、少なくとも適宜巾からなる３箇所の間隔域が形成されるよう、４枚の押さえ片を左右対称で櫛歯状に設ける。本考案において、中央に位置する間隔域を形成する一対（２枚）の押さえ片は、見開いた積層体の上部よりその背部（綴じ部）を跨ぎ表紙面（背面）に当接し、また、左右対称に位置する間隔域を形成する二対（各２枚）の押さえ片のうち、それぞれ外側にある押さえ片は、見開いた積層体の左右ページ層を上辺より跨ぎページ面に当接するよう構成されている。
【０００５】
また、請求項２の考案にあっては、前記請求項１の考案において、間隔域を逆Ｕ字形のアーチ状に形成するとともに、左右両側に位置する押さえ片の略中央から下端にかけてそれぞれ内方向に湾曲させた構成とする。
【考案の効果】
【０００６】
本考案は、上記のように、全体が一枚の復元力（弾性力）のある平板材をもって形成されているため、中央に位置する一対（２枚）の押さえ片が背部（綴じ部）を跨いで見開いた左右表紙面（背面）に当接させ、左右両外側に位置する押さえ片が見開きページ面の左右位置に当接させるようにすると、見開いた積層体の厚み分だけ変形（歪み）が生じ、これを復元しようとして表紙面（背面）と見開きページ面とにそれぞれ当接した押さえ片による押圧力が加わる。この時、見開きページ面を押圧する押さえ片と背面を押圧する押さえ片との位置関係は間隔域の巾分だけ左右にずれているので積層体の厚みがそのまま復元力（押圧力）を抑止することにはならない。したがって、見開いた左右のページ厚に差がある場合であっても確実且つ安定的に見開き状態を保持することができる。
【０００７】
また、本考案にあっては、中央に位置する間隔域を形成する一対（２枚）の押さえ片は、見開いた積層体の背部（綴じ部）を跨いた状態で表紙面（背面）に当接するため、見開いた際に背面より突出する背部（綴じ部）が邪魔になることも、これを損傷させることもなく、むしろ、ページめくりの際など、突出した背部（綴じ部）の側縁と押さえ片の内側縁との掛止作用によってページホルダーの余分なずれを阻止することができる。
【０００８】
また、本考案にあっては、間隔域を逆Ｕ字形のアーチ状に形成するとともに、左右両側に位置する押さえ片をその略中央から下端にかけてそれぞれ内方向に湾曲させることにより、左右両側に位置する間隔域が中央付近において若干絞り込まれ開口に向かって広巾となるため、ページ層の挿入がスムーズに行え積層体を傷つけることがない。
【０００９】
そして、本考案によるページホルダーは、基本的に金属製薄板等の安価な材料をもって打ち抜き成形という単純な工程で製作することができるため極めて経済性に優れており、尚かつ、抜き型を替えること等によって多様で装飾性に優れたデザインとすることができ、しおりやアクセサリー小物としても利用することが可能である。
【考案を実施するための最良の形態】
【００１０】
以下、本考案を実施するための最良の実施形態を図面に従って説明する。
図１は本実施形態によるページホルダーの全体斜視図である。ホルダー本体１は、厚さ１ｍｍ弱の復元力のある金属製薄板を打ち抜き成形したもので、最大横幅９０ｍｍ、最大縦巾６０ｍｍ程の全体寸法からなり、３箇所の間隔域３ａ、３ｂ、３ｃが形成されるよう、左右対称に４枚の押さえ片２ａ、２ｂ、２ｃ、２ｄが櫛歯状に設けられ、さらに、縦中央上端には紐通し孔５を備えた摘み突部４が形成されている。
【００１１】
そして、前記間隔域３ａ、３ｂ、３ｃはいずれも逆Ｕ字のアーチ形状をなし、中央に位置する間隔域３ｂは、縦巾４５ｍｍ、横巾３５ｍｍ程の最大値寸法からなり、左右両側に位置する間隔域３ａ、３ｂより横巾においてやや広めに形成されている。また、押さえ片２ａ、２ｂ、２ｃ、２ｄは約３ｍｍ乃至７ｍｍ程の巾からなり、左右両側に位置する押さえ片２ａ及び２ｄは、略中央から先端にかけてそれぞれ内方向に湾曲させ端部がやや外向きになるよう形成されている。これによって、左右両側の間隔域３ａ、３ｂの巾は中央付近において若干絞り込まれ、開口に向かってやや広がった形とされる。
【００１２】
次に、本考案にかかるページホルダーの使用方法について、図２乃至図４に基づいて説明すると、見開き状態にある書籍（積層体）Ａの背部（綴じ部）Ｄを跨ぐようにして背面（表紙面）Ｃ側に押さえ片２ｂ及び２ｃを配し、左右両側に位置する押さえ片２ａ及び２ｄを書籍Ａの上辺より左右の見開きページ層を跨がせ見開きページ面Ｂ側に配し、その状態から素材の弾性を利用して強制的にホルダー本体１を押し下げる。これによって、図示の如く、間隔域３ｂ内に背部（綴じ部）Ｄが収まり、間隔域３ａ及び３ｃ内に左右の見開きページ層がそれぞれ収まる。
【００１３】
上記状態にあって、ホルダー本体１は、全体が一枚の弾性力のある平板材をもって形成されているため、挟み込んだ見開きページ層の厚みによって変形（歪み）が生じ復元力が働く。すなわち、書籍Ａの背面（表紙面）Ｃに当接する一対の押さえ片２ｂ、２ｃは、背部（綴じ部）Ｄを跨いだ書籍Ａの背面（表紙面）Ｃを押圧し、また、書籍Ａの見開きページ面Ｂに当接する左右両側の押さえ片２ａ、２ｄは左右の見開きページ面Ｂを押圧する。この時、見開きページ面Ｂを押圧する押さえ片２ａ及び２ｄと背面Ｃを押圧する押さえ片２ｂ及び２ｃとは、押圧箇所が間隔域３ａ又は３ｃの巾分だけそれぞれ左右にずれているので、反対方向に働く相互の押圧力によって書籍Ａの左右のページ層を湾曲させることとなる。これによって、左右の見開きページ層をより確実に押圧挟持することができ且つ見開き状態の安定的な保持が可能となる。
【図面の簡単な説明】
【００１４】
【図１】本実施形態によるページホルダーの全体斜視図。
【図２】見開きページ側から見た同ページホルダーの使用状態説明図。
【図３】背部側から見た同ページホルダーの使用状態説明図。
【図４】上辺側から見た同ページホルダーの使用状態説明図。
【符号の説明】
【００１５】
１：ホルダー本体
２ａ、２ｂ、２ｃ、２ｄ：押さえ片
３ａ、３ｂ、３ｃ：間隔域
４：摘み突部
５：紐通し孔
６：紐
Ａ：書籍（積層体）
Ｂ：見開きページ面
Ｃ：背面（表紙面）
Ｄ：背部（綴じ部）
【図１】
0003139129.tif 000003
【図２】
0003139129.tif 000004
【図３】
0003139129.tif 000005
【図４】
0003139129.tif 000006